(57)【要約】【課題】時計表示機能を有する携帯端末機において、時計機能の回路を独立で動作でき携帯端末機のメイン電池が消耗しても時計として使用することができる携帯端末機等を提供すること。【解決手段】携帯端末機は、時計を表示するサブ表示部と、サブ表示部専用のサブ電池と、携帯端末機本体のメイン電池と、時計機能および前記サブ表示部の表示機能を制御する時計制御部とを備え、メイン電池が消耗した場合、サブ電池によって時計制御部が給電され時計制御部が携帯端末機本体のプロセッサと独立して動作することでサブ表示部に時計を表示する。【選択図】図１
2011038999.tif 000002
【特許請求の範囲】
【請求項１】
時計を表示するサブ表示部と、該サブ表示部専用のサブ電池と、携帯端末機本体のメイン電池と、時計機能および前記サブ表示部の表示機能を制御する時計制御部とを備え、前記メイン電池が消耗した場合、前記サブ電池によって前記時計制御部が給電され前記時計制御部が携帯端末機本体のプロセッサと独立して動作することで前記サブ表示部に時計を表示することを特徴とする携帯端末機。
【請求項２】
前記サブ表示部を除く各ブロックへの電源供給およびメイン電池やサブ電池への充電を行う電源制御部を備え、
前記電源制御部から出力される信号により前記時計制御部の独立動作制御を行い、
Ｖ１電圧は前記電源制御部が動作可能となる最低電圧であり、またＶ２電圧は前記携帯端末機本体が電源ＯＮ可能となる最低電圧であり、０＜Ｖ１＜Ｖ２の関係が成り立つとき、
前記メイン電池の電圧がＶ１未満の場合は、前記電源制御部は動作不可のため、電源供給を行わず前記サブ電池の充電も行わず、前記サブ電池によって、前記時計制御部および前記サブ表示部のみが給電され、前記信号は、前記時計制御部内の抵抗によりＬ論理となり前記時計制御部は自動時計表示動作を行い、前記サブ表示部に時計を表示する動作を行うことを特徴とした請求項１記載の携帯端末機。
【請求項３】
前記メイン電池の電圧がＶ２未満かつＶ１以上の場合は、前記電源制御部は動作可能のため、前記電源制御部内蔵の電源レギュレータがＯＮとなり、前記サブ電池の充電を行い、前記信号は、前記電源制御部から初期値としてＬ論理が出力され前記時計制御部は自動時計表示動作を行い、前記サブ表示部に時計を表示する動作を行うことを特徴とした請求項２記載の携帯端末機。
【請求項４】
時計を表示するサブ表示部と、該サブ表示部専用のサブ電池と、携帯端末機本体のメイン電池と、時計機能および前記サブ表示部の表示機能を制御する時計制御部とを備える携帯端末機の制御方法であって、
前記メイン電池が消耗した場合、前記サブ電池によって前記時計制御部が給電されるステップと、
前記時計制御部が携帯端末機本体のプロセッサと独立して動作することで前記サブ表示部に時計を表示するステップとを有することを特徴とする携帯端末機の制御方法。
【請求項５】
前記携帯端末機は、前記サブ表示部を除く各ブロックへの電源供給およびメイン電池やサブ電池への充電を行う電源制御部を備え、前記電源制御部から出力される信号により前記時計制御部の独立動作制御を行い、
Ｖ１電圧は前記電源制御部が動作可能となる最低電圧であり、またＶ２電圧は前記携帯端末機本体が電源ＯＮ可能となる最低電圧であり、０＜Ｖ１＜Ｖ２の関係が成り立つとき、
前記メイン電池の電圧がＶ１未満の場合は、前記電源制御部は動作不可のため、電源供給を行わず前記サブ電池の充電も行わず、前記サブ電池によって、前記時計制御部および前記サブ表示部のみが給電され、前記信号は、前記時計制御部内の抵抗によりＬ論理となり前記時計制御部は自動時計表示動作を行い、前記サブ表示部に時計を表示する動作を行うことを特徴とした請求項１記載の携帯端末機の制御方法。
【請求項６】
前記メイン電池の電圧がＶ２未満かつＶ１以上の場合は、前記電源制御部は動作可能のため、前記電源制御部内蔵の電源レギュレータがＯＮとなり、前記サブ電池の充電を行い、前記信号は、前記電源制御部から初期値としてＬ論理が出力され前記時計制御部は自動時計表示動作を行い、前記サブ表示部に時計を表示する動作を行うことを特徴とした請求項２記載の携帯端末機の制御方法。
【発明の詳細な説明】
【技術分野】
【０００１】
本発明は、時計表示機能を有している携帯電話機の時計技術に関する。
【背景技術】
【０００２】
携帯電話機は一般的に時計機能を内蔵しており、ＬＣＤ画面上に時刻を表示することで時計として、さらに指定時間にアラームを鳴動させることで目覚まし時計として使用することができる。
【０００３】
携帯電話機は常に持ち歩くものであり、腕時計を持たず携帯電話機を時計代わりに使用する人も多い。しかし、携帯電話機の電池が消耗した場合、携帯電話機の電源が入らないため、時計機能が使用できなくなるという問題がある。
【０００４】
関連技術として、カウントダウンの時計を具備し、アラームとして電源ＯＮして通知するが本体のプロセッサを使用する構成が開示されている（例えば、特許文献１参照）。
【０００５】
また、関連技術として、時計精度に関する技術も開示されている（例えば、特許文献２参照）。
【先行技術文献】
【特許文献】
【０００６】
【特許文献１】特開２００８−２１７１９９号公報
【特許文献２】特開平０７−２１９６７３号公報
【発明の概要】
【発明が解決しようとする課題】
【０００７】
しかしながら、上述の関連技術では本体のプロセッサを使用するので装置本体のメイン電池が消耗した場合、動作しないという問題が依然として存在することとなる。
【０００８】
本発明の目的は、時計表示機能を有する携帯端末機において、時計機能の回路を独立で動作でき携帯端末機のメイン電池が消耗しても時計として使用することが可能な携帯端末機および携帯端末機の制御方法を提供することを目的とする。
【課題を解決するための手段】
【０００９】
本発明の携帯端末機は、時計を表示するサブ表示部と、該サブ表示部専用のサブ電池と、携帯端末機本体のメイン電池と、時計機能および前記サブ表示部の表示機能を制御する時計制御部とを備え、前記メイン電池が消耗した場合、前記サブ電池によって前記時計制御部が給電され前記時計制御部が携帯端末機本体のプロセッサと独立して動作することで前記サブ表示部に時計を表示することを特徴とする。
【００１０】
また、本発明の携帯端末機の制御方法は、時計を表示するサブ表示部と、該サブ表示部専用のサブ電池と、携帯端末機本体のメイン電池と、時計機能および前記サブ表示部の表示機能を制御する時計制御部とを備える携帯端末機の制御方法であって、前記メイン電池が消耗した場合、前記サブ電池によって前記時計制御部が給電されるステップと、前記時計制御部が携帯端末機本体のプロセッサと独立して動作することで前記サブ表示部に時計を表示するステップとを有することを特徴とする。
【発明の効果】
【００１１】
本発明によれば、時計機能の回路を独立で動作できるとともに、時計専用の電池を搭載することにより、携帯端末機のメイン電池が消耗しても時計として使用することができる。
【図面の簡単な説明】
【００１２】
【図１】本発明の実施の形態に係るシステム構成を示す図である。
【図２】本発明の実施の形態に係る制御部３と時計制御部８とサブ表示部９、および、電源制御部１０とメイン電池１１、サブ電池１２の構成の詳細を示した図である。
【図３】本実施の形態の状態表である。
【図４】本実施の形態の動作の状態遷移を示すフローチャートである。
【発明を実施するための形態】
【００１３】
以下、本発明の実施の形態について図面を参照して詳細に説明する。図１に示す本実施の形態における携帯端末機としての携帯電話機は、携帯電話機の制御を行う制御部３と、制御部３から信号線を介して、アンテナ部１を介して無線データの送受信を行う無線部２と、プログラムを格納するメモリ部５と、音声変換を行う音声処理部６と、使用者が携帯電話機の操作するための操作部４と、画面の表示を行う表示部７と、表示部７よりも消費電力が小さいサブ表示部９と、時計機能とサブ表示部の表示機能を制御する時計制御部８と、携帯電話機の電源制御、電池への充電を行う電源制御部１０と、携帯電話機に電力を供給するメイン電池１１と、時計表示部に電力を供給するサブ電池１２とから構成されている。
【００１４】
図２は、制御部３と時計制御部８とサブ表示部９、および、電源制御部１０とメイン電池１１、サブ電池１２の構成の詳細を示したものである。
【００１５】
電源制御部１０は時計制御部８、サブ表示部９を除く各ブロックへの電源供給および、メイン電池１１、サブ電池１２への充電を行う。サブ電池１２は電源制御部１０内部の電源レギュレータ２４によって充電される。信号２２は電源制御部１０から出力され、時計制御部２２の独立動作制御を行う。ダイオード２１はメイン電池が消耗した際に、時計制御部２２から制御部３への電流が流れるのを防止し、ダイオード２３はサブ電池１２から電源制御部１０への電流が流れるのを防止する機能を持つ。
【００１６】
次に、本実施の形態の動作を説明する。
【００１７】
図３は本実施の形態の状態表であり、また図４は本実施の形態の動作の状態遷移を示すフローチャートである。
【００１８】
図３において、Ｖ１電圧は電源制御部１０が動作可能となる最低電圧、Ｖ２電圧は携帯電話機が電源ＯＮ可能となる最低電圧であり、０＜Ｖ１＜Ｖ２の関係が成り立つ。Ｖ１未満の電圧の場合、電源制御部１０は電源供給を行わず、サブ電池１２によって、時計制御部８、サブ表示部９のみが給電される状態となる。Ｖ１以上の電圧の場合、電源制御部１０は電源供給可能となり、サブ電池１２への充電動作も行われる。
【００１９】
図４において、メイン電池１１の電圧による動作について説明する。
【００２０】
まず、メイン電池１１の電圧がＶ２以上の場合（ステップ１０１：ＹＥＳ）は、電源制御部内蔵の電源レギュレータ２４がＯＮとなり、サブ電池１２が充電される（ステップ１０２）。
【００２１】
制御部３は電源制御部１０を制御して信号２２の論理を変更することができ、時計制御部８を自動時計表示動作にする場合（ステップ１０３：ＹＥＳ）は、信号２２の論理をLに変更すると（ステップ１０６）、時計制御部８はサブ表示部９に時計を表示する（ステップ１０７）。
【００２２】
一方、サブ表示部９に制御部３から表示制御を行う場合（ステップ１０３：ＮＯ）は、信号２２の論理をＨも変更して（ステップ１０４）、時計制御部８を外部制御動作に切り替えて（ステップ１０５）、制御部３から時計制御部８を制御してサブ表示部９を制御する。
【００２３】
メイン電池１１の電圧がＶ２未満の場合（ステップ１０１：ＮＯ）で、Ｖ１未満の場合（ステップ１０８：ＹＥＳ）は、電源制御部１０が動作不可のため、サブ電池の充電は行われず（ステップ１０９）、また、信号２２については、時計制御部内の抵抗によりＬ論理となる（ステップ１０６）。この場合、時計制御部８は自動時計表示動作を行い、サブ表示部９に時計を表示する動作を行う（ステップ１０７）。
【００２４】
メイン電池１１の電圧がＶ２未満の場合（ステップ１０１：ＮＯ）で、Ｖ１以上の場合（ステップ１０８：ＮＯ）は、電源制御部１０が動作可能で、電源制御部内蔵の電源レギュレータ２４がＯＮとなり、サブ電池１２が充電される（ステップ１１０）。信号２２は電源制御部１０から初期値としてＬ論理が出力され、この場合、時計制御部８は自動時計表示動作を行い（ステップ１０６）、サブ表示部９に時計を表示する動作を行う（ステップ１０７）。
【００２５】
なお、上述する各実施の形態は、本発明の好適な実施の形態であり、本発明の要旨を逸脱しない範囲内において種々変更実施が可能である。
【符号の説明】
【００２６】
１    アンテナ部
２    無線部
３    ＡＰ制御部
４    操作部
５    メモリ部
６    音声処理部
７    表示部
８    時計制御部
９    サブ表示部
１０    電源制御部
１１    メイン電池
１２    サブ電池
【図１】
2011038999.tif 000003
【図２】
2011038999.tif 000004
【図３】
2011038999.tif 000005
【図４】
2011038999.tif 000006